(57)【特許請求の範囲】
【請求項１】
光源を備え、回転するローラ近傍位置で、該ローラに巻き掛けられて走行するウェブに接近して配置され、前記ウェブの前記ローラへの巻き掛け部を外側から照明するウェブ照明装置において、
前記光源は、前面が光透過カバーとされた筐体内に配置され、前記光透過カバー及び前記光源の後側の後端面には、前記ウェブからの光の通過を許容する前側スリット及び後側スリットがそれぞれ形成され、
前記ウェブの、前記ローラへの接触開始点におけるウェブ接線を、前記接触開始点と前記光透過カバーとの間の位置で遮るとともに、前記接触開始点近傍のウェブ外側下流位置に先端が接近して配置され、且つ、ウェブの外側全幅範囲に沿って、前記光源側と前記接触開始点近傍からウェブ上流側とを隔絶する軟質樹脂製ブレードを設けたことを特徴とするウェブ照明装置。
【請求項２】
請求項１において、前記光透過カバーの前面に沿って、空気流を形成する空気吹き出し口を、前記前側スリットの下部及び上部の少なくとも一方に設けたことを特徴とするウェブ照明装置。
【発明の詳細な説明】
【０００１】
【発明の属する技術分野】
この発明は印刷用のロール紙等のウェブをローラに巻き掛けて走行させつつその表面を検査する場合等に、これを照明するためのウェブ照明装置に関する。
【０００２】
【従来の技術】
印刷用のロール紙等を走行させつつ、これを照明し、且つその反射光をラインセンサーカメラ等によりとらえて、表面性状を検査するようにしている検査方法がある。
【０００３】
ここで一定以上の検査精度を得るためには、ロール紙等のウェブとラインセンサカメラとの距離を一定にしなければならないが、ローラ間位置では、ウェブがローラに巻き掛けられていないため、ウェブが波打ち、距離が不安定となるので、ローラに巻き掛けられた位置でウェブを検査することになる。
【０００４】
ウェブが、例えば印刷用ロール紙の場合、その表面には塗工剤が塗布されていて、又表面から分離し易い紙粉があるために、ロール紙がローラに巻き掛けられることにより湾曲されると、該ロール紙表面からコート物や紙粉が分離してくる。
【０００５】
これらは、ロール紙の走行方向に飛散し、該ローラに巻き掛けられた位置でロール紙を照明するための照明光源に付着する。
【０００６】
この照明光源は、照明効率を高くするために、ウェブ表面にかなり接近して設けるのが通常であり、このため、ローラ近傍の各種部品、装置のうち、最も飛散物が付着し易いものとなる。
【０００７】
【発明が解決しようとする課題】
従って、従来は、光源が短期間で汚れ、その照明光量が低下し、その結果、検査精度が低下してしまうために、頻繁に光源の清掃を必要とし、オペレータの負担になるという問題点があった。
【０００８】
この発明は上記従来の問題点に鑑みてなされたものであって、ウェブからの飛散物が光源へ付着することを抑制して、高い検査精度を維持すると共に、光源の清掃頻度を低減することができるウェブ照明装置を提供することを目的とする。
【０００９】
【課題を解決するための手段】
この発明は、光源を備え、回転するローラ近傍位置で、該ローラに巻き掛けられて走行するウェブに接近して配置され、前記ウェブの前記ローラへの巻き掛け部を外側から照明するウェブ照明装置において、前記光源は、前面が光透過カバーとされた筐体内に配置され、前記光透過カバー及び前記光源の後側の後端面には、前記ウェブからの光の通過を許容する前側スリット及び後側スリットがそれぞれ形成され、前記ウェブの、前記ローラへの接触開始点におけるウェブ接線を、前記接触開始点と前記光透過カバーとの間の位置で遮るとともに、前記接触開始点近傍のウェブ外側下流位置に先端が接近して配置され、且つ、ウェブの外側全幅範囲に沿って、前記光源側と前記接触開始点近傍からウェブ上流側とを隔絶する軟質樹脂製ブレードを設けることにより、上記目的を達成するものである。
【００１０】
請求項２の発明は、請求項１において、前記光透過カバーの前面に沿って、空気流を形成する空気吹き出し口を、前記前側スリットの下部及び上部の少なくとも一方に設けたものである。
【００１１】
【発明の実施の形態】
以下本発明の実施の形態の例を図面を参照して詳細に説明する。
【００１２】
図１に示されるように、この発明の実施の形態の例に係るウェブ照明装置１０は、回転するローラ１２近傍位置で該ローラ１２に巻き掛けられて走行するロール紙等のウェブ１４に接近して配置され、平行な直管状の２本の蛍光管１６を備え、前記ローラ１２の外側位置でウェブ１４を照明するものである。
【００１３】
前記２本の蛍光管１６は、これら蛍光管１６の長手方向両端を支持し、且つ内包する細長い筐体１８内に配置されている。
【００１４】
前記筐体１８の断面形状は長方形の一方の面の角を面取りして、一対の傾斜面２０、２０とした変六角形状であり、前記傾斜面２０、２０に対して蛍光管１６を挟んで反対側の面は、図において上下２枚の透明ガラス板２２が備えられ、蛍光管１６からの照明光が、該透明ガラス板２２を通って出射できるようにされ、これにより照明光出射面が構成されている。
【００１５】
前記筐体１８の下側面における透明ガラス板２２側の角部には、例えばゴムからなる軟質樹脂ブレード２４が配置されている。
【００１６】
この軟質樹脂ブレード２４は、前記ウェブ１４の、前記ローラ１２への接触開始点２６におけるウェブ接線４６の下流位置を遮り、且つその先端２４Ａは、前記ローラ１２と接近するように配置され、ウェブ１４の外側全幅範囲にわたって、前記筐体１８の透明ガラス板２２側の面と接触開始点２６近傍からウェブ上流側部分とを隔絶するようにされている。
【００１７】
又、前記軟質樹脂ブレード２４は、その基端側が筐体１８の下側面に取り付け可能のブラケット２８と押えプレート３０との間に挾持されている。押えプレート３０はブラケット２８に、ねじ３０Ａによって着脱できるようにされている。
【００１８】
更に、前記ブラケット２８の、長手方向両端には前記透明ガラス板２２と平行方向に長い長孔２８Ａが形成され、この長孔２８Ａに、筐体支持部材３２に植設されたボルト３４を挿通して、これに螺合する蝶ねじ３５によって、ブラケット２８を透明ガラス板２２と平行方向に位置調節自在に取り付けられるようになっている。
【００１９】
前記照明光出射面を構成する２枚の透明ガラス板２２、２２の間には、前記２本の蛍光管１６、１６間の隙間１７に対向する位置に、蛍光管１６の長手方向に細長い前側スリット３６が形成されている。
【００２０】
又、前記傾斜面２０、２０の間の、透明ガラス板２２と平行な後端面２１には、前記透明ガラス板２２の前側スリット３６と蛍光管１６、１６間の隙間１７を結ぶ直線上に、後側スリット３８が形成されている。これにより、前記前側スリット３６、隙間１７及び後側スリット３８は、透明ガラス板２２と直交する方向に、ウェブ１４からの光の通過を許容する平面状光路４０を形成している。
【００２１】
従って、この平面状光路４０を通して、前記ウェブ１４表面からの反射光を、例えばラインセンサーカメラ（図示省略）に導けば、Ｓ／Ｎ比の高い画像を得ることができる。
【００２２】
前記筐体１８の、前記透明ガラス板２２前面下部であって、該透明ガラス板２２と前記軟質樹脂ブレード２４との間の位置には、透明ガラス板２２の表面に沿う空気流を形成する空気吹き出し口４２が、筐体１８の長手方向に複数個間欠的に配置されている。
【００２３】
この空気吹き出し口４２には、コンプレッサ等の圧縮空気源４４から圧縮空気が供給されるようになっている。
【００２４】
前記ウェブ照明装置１０により、ローラ１２に巻き掛けられ走行するウェブ１４を照明するとき、ウェブ１４はローラ１２の上面の接触開始点２６から該ローラ１２によって湾曲されるので、その外側に付着しているコート物や紙粉がウェブ１４の表面からローラ外周の接線方向に飛散する。
【００２５】
接触開始点２６から下流側位置に前記軟質樹脂ブレード２４の先端２４Ａが位置されているので、飛散したコート物や紙粉は、ここに衝突し、その多くが付着する。又、付着しないで浮遊している場合でも、該軟質樹脂ブレード２４に妨げられて透明ガラス板２２方向に侵入することが抑制される。
【００２６】
又、軟質樹脂ブレード２４の先端２４Ａとウェブ１４の隙間を通って透明ガラス板２２方向に侵入した飛散物は、前記空気吹き出し口４２から吹き出される圧縮空気流によって、透明ガラス板２２に沿って飛ばされるので、該透明ガラス板２２に付着することが大幅に抑制される。
【００２７】
従って、上記ウェブ照明装置１０においては、透明ガラス板２２への、ウェブ１４からの飛散物の付着が非常に少なくなるので、長時間Ｓ／Ｎ比の高い画像を得ることができ、精度の高い検査が可能となる。更に、該透明ガラス板２２表面の清掃間隔が長くなり、オペレータの負担が大幅に軽減される。
【００２８】
又前記ウェブ照明装置１０では、軟質樹脂ブレード２４が、ローラ１２にウェブ１４を巻き掛ける紙通し等の作業の邪魔になることがあるが、ゴム等の軟質樹脂から形成されているので、該作業時にオペレータが怪我をしたりすることがない。
【００２９】
又、軟質樹脂ブレード２４の、特に先端２４Ａ近傍にはウェブ１４からの飛散物が付着し易いが、これは簡単に掃き取ることができると共に、必要であれば、ブラケット２８と共に容易に取り外し交換することができる。
【００３０】
なお、上記ウェブ照明装置１０において、空気吹き出し口４２は軟質樹脂ブレード２４側から透明ガラス板２２に沿って、図１において上向きに空気流を形成するものであるが、本発明はこれに限定されるものでなく、図１において紙面と直交する方向あるいは斜め方向に空気を噴出するようにしてもよい。又、図１で２点鎖線で示されるように、空気吹き出し口４２と対向する第２空気吹き出し口４２Ａを設け、対向して空気流を形成してもよい。
【００３１】
更に、空気吹き出し口４２からの圧縮空気の噴出は連続的でもよく、間欠的であってもよい。
【図面の簡単な説明】
【図１】本発明の実施の形態の例に係るウェブ照明装置を示す断面図
【図２】同ウェブ照明装置における軟質樹脂ブレードを拡大して示す斜視図
【符号の説明】
１０…ウェブ照明装置
１２…ローラ
１４…ウェブ
１６…蛍光管（光源）
１８…筐体
２２…透明ガラス板
２４…軟質樹脂ブレード
２４Ａ…先端
２６…接触開始点
４２…空気吹き出し口
４２Ａ…第２空気吹き出し口
４４…圧縮空気源
【図１】
0003601800.tif 000002
【図２】
0003601800.tif 000003